(57)【要約】      （修正有）【課題】チャッキングプーリーと第２の光ピックアップの干渉を回避して第２の光ピックアップの必要な移動範囲を確保した上で小型化を図ると共にチャッキングプーリーの構造の簡素化を図る。【解決手段】第１のピックアップベースにディスク状記録媒体が装着されるディスクテーブル２２が配置され、第２のピックアップベースのプーリー支持部３６に支持孔３６ｂが形成され、プーリー支持部にディスクテーブルとともにディスク状記録媒体を挟持して保持するチャッキングプーリー３９が支持孔に挿入された状態で支持され、チャッキングプーリーに、第２の光ピックアップ５２との干渉を回避する逃げ部４３と、軸方向における一端部から外方へ張り出され支持孔からの脱落を規制するフランジ部４４と、軸方向における他端部から外方へ張り出されディスク状記録媒体の内周部に押し付けられるクランプ部４７とが設けられる。【選択図】図２０
2014207035.tif 000002
【特許請求の範囲】
【請求項１】
第１の光ピックアップが配置された第１のピックアップベースを有する第１のシャーシユニットと、
プーリー支持部が設けられ第２の光ピックアップが配置された第２のピックアップベースを有する第２のシャーシユニットとを備え、
前記第１のピックアップベースにディスク状記録媒体が装着されるディスクテーブルが配置され、
前記プーリー支持部に支持孔が形成され、
前記プーリー支持部に前記ディスクテーブルとともに前記ディスク状記録媒体を挟持して保持するチャッキングプーリーが前記支持孔に挿入された状態で支持され、
前記チャッキングプーリーに、前記第２の光ピックアップとの干渉を回避する逃げ部と、軸方向における一端部から外方へ張り出され前記支持孔からの脱落を規制するフランジ部と、軸方向における他端部から外方へ張り出され前記ディスク状記録媒体の内周部に押し付けられるクランプ部とが設けられた
ディスクドライブ装置。
【請求項２】
前記チャッキングプーリーに、前記ディスクテーブルと前記チャッキングプーリーによって前記ディスク状記録媒体が挟持された状態において前記支持孔に位置され前記支持孔に流入される空気を制御する円環状の流入空気制御部が設けられた
請求項１に記載のディスクドライブ装置。
【請求項３】
前記逃げ部と前記クランプ部が着脱可能とされ、
前記逃げ部の径が前記支持孔の径より小さくされ、
前記クランプ部の外形が前記支持孔の径より大きくされた
請求項１に記載のディスクドライブ装置。
【請求項４】
前記逃げ部が前記ディスク状記録媒体の厚み方向に延びる円筒状又は円柱状に形成され、
前記第２の光ピックアップに、前記逃げ部に対向する円弧状の逃げ凹部が形成された
請求項１に記載のディスクドライブ装置。
【請求項５】
前記フランジ部と前記流入空気制御部が一体に形成された
請求項２に記載のディスクドライブ装置。
【請求項６】
前記流入空気制御部と前記逃げ部が一体に形成された
請求項５に記載のディスクドライブ装置。
【発明の詳細な説明】
【技術分野】
【０００１】
本技術は、ディスクテーブルとチャッキングプーリーによってディスク状記録媒体を挟持して保持しディスクテーブルの回転に伴って回転されるディスク状記録媒体に対して情報信号の記録又は再生を行うディスクドライブ装置についての技術分野に関する。
【先行技術文献】
【特許文献】
【０００２】
【特許文献１】特開平１０−１８８４５６号公報
【背景技術】
【０００３】
ディスク状記録媒体に対して画像データーや音声データー等の情報信号の記録や再生を行うディスクドライブ装置がある。このようなディスクドライブ装置には、例えば、両面に情報信号の記録や再生を行うことが可能な両面ディスクが装着され、この両面ディスクに情報信号の記録や再生を行うディスクドライブ装置がある（例えば、特許文献１参照）。
【０００４】
特許文献１に記載されたディスクドライブ装置は、第１の光ピックアップとディスクテーブルが配置された第１のシャーシと、第２の光ピックアップとチャッキングプーリーが配置された第２のシャーシとを有している。ディスクドライブ装置において、ディスクカートリッジが第１のシャーシと第２のシャーシの間に搬送されると、スライドカム板の動作に応じて第１のシャーシと第２のシャーシが上下方向において互いに近付く方向へ移動され、ディスク状記録媒体がディスクテーブルとチャッキングプーリーによって挟持されてチャッキングされる。
【０００５】
チャッキングプーリーには付勢バネが設けられており、チャッキング時にはチャッキングプーリーの一部が付勢バネの付勢力によってディスク状記録媒体の内周部に押し付けられる。
【０００６】
チャッキングが行われたディスク状記録媒体に対しては、ディスク状記録媒体の半径方向へ移動される第１の光ピックアップと第２の光ピックアップによって情報信号の記録又は再生が行われる。第１の光ピックアップはディスクテーブルに離接する方向においてディスク状記録媒体の記録面に沿って移動され、第２の光ピックアップはチャッキングプーリーに離接する方向においてディスク状記録媒体の記録面に沿って移動される。
【発明の概要】
【発明が解決しようとする課題】
【０００７】
ところで、特許文献１に記載されたようなディスクドライブ装置のように、ディスク状記録媒体の両面に対して情報信号の記録又は再生が行われる装置においては、ディスクテーブルに離接する方向へ移動される光ピックアップ（第１の光ピックアップ）の他にチャッキングプーリーに離接する方向へ移動される光ピックアップ（第２の光ピックアップ）が設けられている。このような両面ディスクに対応したディスクドライブ装置においては、チャッキングプーリーと第２の光ピックアップの干渉を回避して第２の光ピックアップの必要な移動範囲を確保した上で小型化を図ることが望ましい。
【０００８】
また、特許文献１に記載されたディスクドライブ装置にあっては、チャッキングプーリーに付勢バネが設けられチャッキングプーリーの一部が付勢バネによってディスク状記録媒体に押し付けられる構成にされており、チャッキングプーリーの構造が複雑であり、製造コストが高いと言う問題がある。
【０００９】
そこで、本技術ディスクドライブ装置は、上記した問題点を克服し、チャッキングプーリーと第２の光ピックアップの干渉を回避して第２の光ピックアップの必要な移動範囲を確保した上で小型化を図ると共にチャッキングプーリーの構造の簡素化を図ることを目的とする。
【課題を解決するための手段】
【００１０】
第１に、ディスクドライブ装置は、第１の光ピックアップが配置された第１のピックアップベースを有する第１のシャーシユニットと、プーリー支持部が設けられ第２の光ピックアップが配置された第２のピックアップベースを有する第２のシャーシユニットとを備え、前記第１のピックアップベースにディスク状記録媒体が装着されるディスクテーブルが配置され、前記プーリー支持部に支持孔が形成され、前記プーリー支持部に前記ディスクテーブルとともに前記ディスク状記録媒体を挟持して保持するチャッキングプーリーが前記支持孔に挿入された状態で支持され、前記チャッキングプーリーに、前記第２の光ピックアップとの干渉を回避する逃げ部と、軸方向における一端部から外方へ張り出され前記支持孔からの脱落を規制するフランジ部と、軸方向における他端部から外方へ張り出され前記ディスク状記録媒体の内周部に押し付けられるクランプ部とが設けられたものである。
【００１１】
これにより、逃げ部によってチャッキングプーリーと第２の光ピックアップの干渉が回避される。
【００１２】
第２に、上記したディスクドライブ装置においては、前記チャッキングプーリーに、前記ディスクテーブルと前記チャッキングプーリーによって前記ディスク状記録媒体が挟持された状態において前記支持孔に位置され前記支持孔に流入される空気を制御する円環状の流入空気制御部が設けられることが望ましい。
【００１３】
これにより、支持孔に流入される空気の流れがチャッキングプーリーの周囲において整流にされる。
【００１４】
第３に、上記したディスクドライブ装置においては、前記逃げ部と前記クランプ部が着脱可能とされ、前記逃げ部の径が前記支持孔の径より小さくされ、前記クランプ部の外形が前記支持孔の径より大きくされることが望ましい。
【００１５】
これにより、逃げ部とクランプ部が分離された状態で逃げ部が支持孔に挿入され逃げ部にクランプ部が結合されることによりチャッキングプーリーがプーリー支持部に支持される。
【００１６】
第４に、上記したディスクドライブ装置においては、前記逃げ部が前記ディスク状記録媒体の厚み方向に延びる円筒状又は円柱状に形成され、前記第２の光ピックアップに、前記逃げ部に対向する円弧状の逃げ凹部が形成されることが望ましい。
【００１７】
これにより、第２の光ピックアップがディスク状記録媒体の内周側に移動されたときに逃げ部の一部が逃げ凹部に挿入される。
【００１８】
第５に、上記したディスクドライブ装置においては、前記フランジ部と前記流入空気制御部が一体に形成されることが望ましい。
【００１９】
これにより、フランジ部と流入空気制御部を各別の部品として設ける必要がない。
【００２０】
第６に、上記したディスクドライブ装置においては、前記流入空気制御部と前記逃げ部が一体に形成されることが望ましい。
【００２１】
これにより、流入空気制御部と逃げ部を各別の部品として設ける必要がない。
【発明の効果】
【００２２】
本技術によれば、チャッキングプーリーと第２の光ピックアップの干渉を回避して第２の光ピックアップの必要な移動範囲を確保した上で小型化を図ることができると共にチャッキングプーリーの構造の簡素化を図ることができる。
【図面の簡単な説明】
【００２３】
【図１】図２乃至図２２と共に本技術ディスクドライブ装置を実施するための形態を示すものであり、本図は、ディスクドライブ装置の斜視図である。
【図２】ディスクドライブ装置の分解斜視図である。
【図３】第１のシャーシユニットの分解斜視図である。
【図４】第１のシャーシユニットの斜視図である。
【図５】チャッキングプーリーがプーリー支持部に支持された状態をディスクテーブルと共に示す概略拡大断面図である。
【図６】第２のシャーシユニットの分解斜視図である。
【図７】第２のシャーシユニットの斜視図である。
【図８】ディスクドライブ装置の平面図である。
【図９】チャッキングプーリーの拡大分解斜視図である。
【図１０】チャッキングプーリーの拡大斜視図である。
【図１１】カムスライダーの斜視図である。
【図１２】図１３乃至図２２と共にディスクドライブ装置の動作を示すものであり、本図は、初期状態を示す概略側面図である。
【図１３】初期状態を示す概略断面図である。
【図１４】初期状態においてディスク状記録媒体が搬送されている状態を示す斜視図である。
【図１５】ディスク状記録媒体がチャッキング位置まで搬送された状態を示す概略断面図である。
【図１６】第１のシャーシユニットと第２のシャーシユニットが上下方向へ移動されている途中の状態を示す概略側面図である。
【図１７】第１のシャーシユニットと第２のシャーシユニットが上下方向へ移動されている途中の状態を示す概略断面図である。
【図１８】第１のシャーシユニットと第２のシャーシユニットが上下方向へ移動され第１の整流板部と第２の整流板部が結合された状態を示す概略側面図である。
【図１９】第１のシャーシユニットと第２のシャーシユニットが上下方向へ移動され第１の整流板部と第２の整流板部が結合された状態を示す斜視図である。
【図２０】第１のシャーシユニットと第２のシャーシユニットが上下方向へ移動されディスク状記録媒体がチャッキングされた状態を示す概略拡大断面図である。
【図２１】第１のシャーシユニットと第２のシャーシユニットが上下方向へ移動されディスク状記録媒体がチャッキングされた状態を一部を断面にして示す斜視図である。
【図２２】第２の光ピックアップがディスク状記録媒体の内周側へ移動されチャッキングプーリーの逃げ部の一部が第２の光ピックアップに形成された逃げ凹部に挿入された状態を示す拡大平面図である。
【発明を実施するための形態】
【００２４】
以下に、本技術ディスクドライブ装置の実施の形態を添付図面に従って説明する。
【００２５】
以下の説明にあっては、ローディング時にディスクドライブ装置へ向けてディスク状記録媒体が搬送される方向を後方（引込方向）とし、イジェクト時にディスクドライブ装置からディスク状記録媒体が搬送される方向を前方（排出方向）とし、左右方向は前方からディスクドライブ装置を見たときの状態で示し、前後上下左右の方向を示すものとする。
【００２６】
尚、以下に示す前後上下左右の方向は説明の便宜上のものであり、本技術の実施に関しては、これらの方向に限定されることはない。
【００２７】
［ディスクドライブ装置の構成］
先ず、ディスクドライブ装置１の具体的な構成について説明する（図１乃至図８参照）。
【００２８】
＜ベースフレーム＞
ディスクドライブ装置１はベースフレーム２とベースフレーム２を上側から覆う図示しないカバーとを有し、ベースフレーム２は外形が縦長の略矩形状に形成された底面板部３と底面板部３の左右両側縁からそれぞれ上方へ突出された複数の側面板部４、４、・・・とを有している（図１及び図２参照）。
【００２９】
ベースフレーム２の前後方向における略中央部の左右両側には、前後に二つずつの側面板部４、４、・・・が並んで設けられている。この前後に並ぶ側面板部４、４間には上方に開口され上下に延びるスリットが形成され、このスリットが案内規制孔４ａとして形成されている。
【００３０】
前後方向における略中央部において前後に二つずつ並ぶ側面板部４、４、・・・の外面にはそれぞれ案内規制ピン５、５、・・・が取り付けられている。
【００３１】
＜第１のシャーシユニット＞
ベースフレーム２の側面板部４、４、・・・には第１のシャーシユニット６が上下方向へ移動自在に支持されている。第１のシャーシユニット６は第１のベースシャーシ７と第１のピックアップベース８を有している（図３及び図４参照）。
【００３２】
第１のベースシャーシ７はベースプレート９にディスク用プレート１０が結合されて成る。
【００３３】
ベースプレート９は上下方向を向くベース面部１１とベース面部１１の左右両側縁からそれぞれ上方へ突出された第１のサイド面部１２、１２とベース面部１１の左右両側縁からそれぞれ上方へ突出された第２のサイド面部１３、１３、・・・とを有している。
【００３４】
ベース面部１１は縦長の略矩形状に形成されている。
【００３５】
第１のサイド面部１２は第２のサイド面部１３より稍内側に位置され、第１のサイド面部１２の外面には被案内ピン１２ａ、１２ａが上下に離隔して設けられている。被案内ピン１２ａ、１２ａはベースフレーム２の側面板部４、４間に形成された案内規制孔４ａに上下方向へ摺動自在に係合され、ベースプレート９がベースフレーム２によって左右方向への移動が規制される。
【００３６】
第２のサイド面部１３、１３、・・・はそれぞれ第１のサイド面部１２、１２を挟んだ前後に位置されている。第２のサイド面部１３の外面には被ガイドピン１３ａが設けられている。
【００３７】
ベース面部１１上には上方へ突出された四つの取付突部１４、１４、・・・が前後左右に離隔して設けられている。
【００３８】
ディスク用プレート１０は上下方向を向く上面板部１５と上面板部１５の外周部からそれぞれ下方へ突出された連結板部１６、１６、１６と連結板部１６、１６、１６の下端部にそれぞれ連続して設けられた被取付板部１７、１７、１７とから成る。上面板部１５には外形が円弧状に形成された第１の整流板部１８が設けられ、第１の整流板部１８の外周部が上方へ折り曲げられた第１の折曲部１８ａとして設けられている。第１の整流板部１８には外周から中央部に亘る位置に透過用切欠１８ｂが形成されている。
【００３９】
ディスク用プレート１０は被取付板部１７、１７、１７がベース面部１１の外周部に取り付けられてベースプレート９に結合されている。ディスク用プレート１０がベースプレート９に結合された状態においては、上面板部１５がベース面部１１に平行な状態で位置される。
【００４０】
第１のピックアップベース８はベースプレート９のベース面部１１に取付突部１４、１４、・・・を介して取り付けられている。第１のピックアップベース８は配置プレート１９に所要の各部が配置されて成る。
【００４１】
配置プレート１９は縦長の略矩形状に形成され、四隅にインシュレーター２０、２０、・・・が結合されている。第１のピックアップベース８はインシュレーター２０、２０、・・・がそれぞれ取付突部１４、１４、・・・に取り付けられて第１のベースシャーシ７に結合される。第１のピックアップベース８は第１のベースシャーシ７に結合された状態において、ディスク用プレート１０の第１の整流板部１８より下側に位置される。
【００４２】
配置プレート１９の長手方向における一端部にはスピンドルモーター２１が配置され、スピンドルモーター２１の出力軸にはディスクテーブル２２が連結されている。従って、ディスクテーブル２２がスピンドルモーター２１の駆動力によって回転される。
【００４３】
ディスクテーブル２２は外周部がテーブル部２２ａとして設けられ、テーブル部２２ａの内側の部分が上方へ突出されたセンターリング突部２２ｂとして設けられている（図５参照）。センターリング突部２２ｂの中心部には上方に開口された位置決め凹部２２ｃが形成されている。センターリング突部２２ｂには、例えば、環状に形成された金属板２２ｄが埋め込まれている。
【００４４】
配置プレート１９には長手方向に延びるガイド軸２３、２３が左右に離隔して配置されている。ガイド軸２３、２３には第１の光ピックアップ２４が移動自在に支持されている。
【００４５】
配置プレート１９には駆動モーター２５が配置されている。駆動モーター２５は前後に延びるリードスクリューを有し、リードスクリューが第１の光ピックアップ２４の一部に螺合されている。従って、第１の光ピックアップ２４は駆動モーター２５の駆動力によりガイド軸２３、２３に案内されてディスクテーブル２２に離接する方向（前後方向）へ移動される。第１の光ピックアップ２４が移動されるときには、ディスク状記録媒体１００に対して第１の光ピックアップ２４から出射された光が第１の整流板部１８に形成された透過用切欠１８ｂを介してディスク状記録媒体１００に照射される。
【００４６】
＜第２のシャーシユニット＞
ベースフレーム２の側面板部４、４、・・・には第１のシャーシユニット６の上方において第２のシャーシユニット２６が上下方向へ移動自在に支持されている（図２及び図３参照）。第２のシャーシユニット２６は第２のベースシャーシ２７と第２のピックアップベース２８を有している（図６乃至図８参照）。
【００４７】
第２のベースシャーシ２７は縦長の略矩形状に形成されたベース面部２９とベース面部２９の左右両側縁からそれぞれ上方へ突出された第１のサイド面部３０、３０とベース面部２９の左右両側縁からそれぞれ上方へ突出された第２のサイド面部３１、３１、・・・とを有している。
【００４８】
ベース面部２９には上下に貫通された透過孔２９ａが形成されている。
【００４９】
第１のサイド面部３０は第２のサイド面部３１より稍内側に位置され、第１のサイド面部３０の外面には被案内ピン３０ａ、３０ａが上下に離隔して設けられている。被案内ピン３０ａ、３０ａはベースフレーム２の側面板部４、４間に形成された案内規制孔４ａに上下方向へ摺動自在に係合され、第２のベースシャーシ２７がベースフレーム２によって左右方向への移動が規制される。
【００５０】
第２のサイド面部３１、３１、・・・はそれぞれ第１のサイド面部３０、３０を挟んだ前後に位置されている。第２のサイド面部３１の外面には被ガイドピン３１ａが設けられている。
【００５１】
ベース面部２９上には上方へ突出された四つの取付突部３２、３２、・・・が前後左右に離隔して設けられている。
【００５２】
第２のベースシャーシ２７の一部は第２の整流板部３３として設けられ、第２の整流板部３３は第１のベースシャーシ７の第１の整流板部１８の真上に位置する部分である。透過孔２９ａの一部は第２の整流板部３３にも位置されている。第２の整流板部３３は外周部が下方へ折り曲げられた第２の折曲部３３ａとして設けられている。
【００５３】
第２のピックアップベース２８は第２のシャーシユニット２７のベース面部２９に取付突部３２、３２、・・・を介して取り付けられている。第２のピックアップベース２８は配置プレート３４に所要の各部が配置されて成る。
【００５４】
配置プレート３４は縦長の略矩形状に形成され、四隅にインシュレーター３５、３５、・・・が結合されている。第２のピックアップベース２８はインシュレーター３５、３５、・・・がそれぞれ取付突部３２、３２、・・・に取り付けられて第２のベースシャーシ２７に結合される。第２のピックアップベース２８は第２のベースシャーシ２７に結合された状態において、第２のベースシャーシ２７の第２の整流板部３３より上側に位置される。
【００５５】
配置プレート３４の長手方向における一端部にはプーリー支持部３６が設けられている。プーリー支持部３６は上下に貫通された環状に形成され、一部が円弧状に形成されている。プーリー支持部３６の上端部には上方に開口された円環状の受け凹部３６ａが形成され、プーリー支持部３６の受け凹部３６ａの内側に上下に貫通された支持孔３６ｂが形成されている（図５参照）。
【００５６】
プーリー支持部３６は後端側の部分が他の部分に対して後方へ突出された突部３７として設けられ、突部３７の上下方向における厚みが他の部分の上下方向における厚みより小さくされている。突部３７は他の部分の上端部から後方へ突出されている。従って、突部３７の下側には空間が形成され、この空間が移動用空間３８として形成されている。
【００５７】
プーリー支持部３６にはチャッキングプーリー３９が回転自在に支持されている。チャッキングプーリー３９はプーリー本体４０とクランパー４１とマグネット４２が結合されて成る（図９及び図１０参照）。
【００５８】
プーリー本体４０は、上下に延びる円筒状又は円柱状の逃げ部４３と、逃げ部４３の上端部から外方へ張り出されたフランジ部４４と、逃げ部４３の上端寄りの部分から外方へ張り出された流入空気制御部４５と、逃げ部４３の下端部から外方へ張り出された結合板部４６とが一体に形成されて成る。
【００５９】
逃げ部４３は軸方向（上下方向）における長さが長くされ、軸方向における長さが後述する第２の光ピックアップの上下方向における厚みより長くされている。
【００６０】
フランジ部４４の外径は流入空気制御部４５の外径及び第２のピックアップベース２８のプーリー支持部３６に形成された支持孔３６ｂの径より大きくされ、フランジ部４４の厚みは流入空気制御部４５の厚みより小さく第２のピックアップベース２８のプーリー支持部３６に形成された受け凹部３６ａの深さより小さくされている。流入空気制御部４５の外径は支持孔３６ｂの径より小さくされている。
【００６１】
逃げ部４３とフランジ部４４と流入空気制御部４５は何れも水平断面における外形状が円形状に形成されている。結合板部４６の外周部には結合用切欠４６ａ、４６ａ、４６ａが周方向に等間隔に離隔して形成されている。
【００６２】
クランパー４１は上方に開口された浅い容器状に形成されたクランプ部４７とクランプ部４７の底面から上方へ突出された結合用突部４８、４８、４８とクランプ部４７の底面から上方へ突出された結合用軸部４９、４９、４９とクランプ部４７の下面から下方へ突出された位置決め突部５０とが一体に形成されて成る。
【００６３】
クランプ部４７は水平断面における外形状が円形状に形成されている。結合用突部４８、４８、４８は周方向に等間隔に離隔して設けられている。結合用突部４８は上端部に係合爪部４８ａを有している。結合用軸部４９、４９、４９はそれぞれ結合用突部４８、４８、４８間に位置され、周方向に等間隔に離隔して設けられている。位置決め突部５０はクランプ部４７の中心部から下方へ突出されている。
【００６４】
クランプ部４７の外径は第２のピックアップベース２８のプーリー支持部３６に形成された支持孔３６ｂの径より大きくされている。
【００６５】
マグネット４２は円板状に形成され、周方向において等間隔に離隔して形成された結合用孔４２ａ、４２ａ、４２ａを有している。マグネット４２には結合用孔４２ａ、４２ａ、４２ａ間にそれぞれ軸挿入孔４２ｂ、４２ｂ、４２ｂが周方向において離隔して形成されている。
【００６６】
マグネット４２は結合用孔４２ａ、４２ａ、４２ａにそれぞれ結合用突部４８、４８、４８が挿入されると共に軸挿通孔４２ｂ、４２ｂ、４２ｂにそれぞれ結合用軸部４９、４９、４９が挿入されることによりクランパー４１に結合される。
【００６７】
マグネット４２がクランパー４１に結合された状態において、結合用突部４８、４８、４８の係合爪部４８ａ、４８ａ、４８ａがそれぞれ結合板部４６における結合用切欠４６ａ、４６ａ、４６の開口縁に係合されることにより、クランパー４１とプーリー本体４０が結合されてチャッキングプーリー３９が構成される。マグネット４２はプーリー本体４０の結合板部４６とクランプ部４７とによって上下から挟持されて保持される。
【００６８】
チャッキングプーリー３９はマグネット４２が結合されたクランパー４１とプーリー本体４０が分離された状態において、プーリー本体４０の逃げ部４３と流入空気制御部４４が支持孔３６ｂに上方から挿入され、プーリー本体４０とマグネット４２が結合されたクランパー４１とが結合されることにより、プーリー支持部３６に軸回り方向へ回転自在かつ上下方向へ移動自在に支持される（図５参照）。チャッキングプーリー３９がプーリー支持部３６に支持された状態においては、自重によりフランジ部４４の下面が受け凹部３６ａの底面に接する。
【００６９】
配置プレート３４には長手方向に延びるガイド軸５１、５１が左右に離隔して配置されている（図６乃至図８参照）。
【００７０】
ガイド軸５１、５１には第２の光ピックアップ５２が移動自在に支持されている。第２の光ピックアップ５２には前方に開口された逃げ凹部５２ａが形成されている（図８参照）。逃げ凹部５２ａは円弧状に形成され、曲率半径がチャッキングプーリー３９における逃げ部４３の曲率半径より稍大きくされている。
【００７１】
配置プレート３４には駆動モーター５３が配置されている。駆動モーター５３は前後に延びるリードスクリューを有し、リードスクリューが第２の光ピックアップ５２の一部に螺合されている。従って、第２の光ピックアップ５２は駆動モーター５３の駆動力によりガイド軸５１、５１に案内されてチャッキングプーリー３９に離接する方向（前後方向）へ移動される。第２の光ピックアップ５２が移動されるときには、ディスク状記録媒体１００に対して第２の光ピックアップ５２から出射された光が第２のベースシャーシ２７のベース面部２９に形成された透過孔２９ａを介してディスク状記録媒体１００に照射される。
【００７２】
＜カムスライダー＞
ベースフレーム２の側面板部４、４、・・・にはそれぞれカムスライダー５４、５４が前後方向へ移動自在に支持されている（図１及び図２参照）。カムスライダー５４は左右方向を向く板状に形成され、図示しない駆動機構によって前後方向へ移動される。
【００７３】
カムスライダー５４には第１のカム孔５５、５５が前後に離隔して形成されている（図１１参照）。第１のカム孔５５は前後方向に延びる後側カム部５５ａと後側カム部５５ａの前端に連続され前方へ行くに従って上方へ変位する傾斜カム部５５ｂと傾斜カム部５５ｂの前端に連続され前後方向に延びる前側カム部５５ｃとから成る。
【００７４】
カムスライダー５４には第１のカム孔５５、５５の上方にそれぞれ第２のカム孔５６、５６が前後に離隔して形成されている。第２のカム孔５６は前後方向に延びる後側カム部５６ａと後側カム部５６ａの前端に連続され前方へ行くに従って下方へ変位する傾斜カム部５６ｂと傾斜カム部５６ｂの前端に連続され前後方向に延びる前側カム部５６ｃとから成る。
【００７５】
カムスライダー５４には前側の第１のカム孔５５の下側と後側の第１のカム孔５５の上側とにそれぞれ前後に延びる被ガイド孔５７、５７が形成されている。
【００７６】
カムスライダー５４は被ガイド孔５７、５７にそれぞれベースフレーム２の案内規制ピン５、５が挿入されることによりベースフレーム２に対して前後方向へ移動自在に支持される。
【００７７】
カムスライダー５４の第１のカム孔５５、５５には第１のシャーシユニット６の被ガイドピン１３ａ、１３ａがそれぞれ摺動自在に係合され、第１のシャーシユニット６がカムスライダー５４、５４に上下方向へ移動自在に支持される。
【００７８】
カムスライダー５４の第２のカム孔５６、５６には第２のシャーシユニット２６の被ガイドピン３１ａ、３１ａがそれぞれ摺動自在に係合され、第２のシャーシユニット２６がカムスライダー５４、５４に上下方向へ移動自在に支持される。
【００７９】
従って、カムスライダー５４、５４が前後方向へ移動されると、被案内ピン１２ａ、１２ａがベースフレーム２の案内規制孔４ａに案内され、被ガイドピン１３ａ、１３ａがカムスライダー５４の第１のカム孔５５、５５に摺動されて第１のシャーシユニット６が上下方向へ移動されると共に被ガイドピン３１ａ、３１ａがカムスライダー５４の第２のカム孔５６、５６に摺動されて第２のシャーシユニット２６が上下方向へ移動される。
【００８０】
［ディスクドライブ装置の動作］
以下に、ディスクドライブ装置１のディスク状記録媒体１００に対するチャッキング時の動作について説明する（図１２乃至図２２参照）。
【００８１】
＜動作概要＞
先ず、チャッキング動作に関わる動作の概要について説明する。
【００８２】
ディスク状記録媒体１００は図示しないディスクカートリッジから取り出されて図示しない搬送装置によるローディング動作によりディスクドライブ装置１におけるチャッキング位置まで引込方向（後方）へ搬送され、チャッキング位置においてチャッキングされて情報信号の記録又は再生が行われる。また、情報信号の記録又は再生が終了すると、ディスク状記録媒体１００はチャッキングが解除され、搬送装置によるイジェクト動作により排出方向（前方）へ搬送されてディスクカートリッジに収納される。
【００８３】
尚、ディスク状記録媒体１００の搬送は、例えば、搬送装置に設けられたディスク保持部によってディスク状記録媒体１００が保持された状態で行われる。
【００８４】
＜初期状態＞
次に、チャッキング動作時のディスクドライブ装置１における各部の初期状態について説明する（図１２乃至図１４参照）。
【００８５】
カムスライダー５４、５４はそれぞれ前方の移動端において保持されている。このときベースフレーム２の案内規制ピン５、５がそれぞれカムスライダー５４における被ガイド孔５７、５７の後端部に係合されている。また、第１のシャーシユニット６の被ガイドピン１３ａ、１３ａがそれぞれカムスライダー５４における第１のカム孔５５、５５の後側カム部５５ａ、５５ａの後端部に係合され、第２のシャーシユニット２６の被ガイドピン３１ａ、３１ａがそれぞれカムスライダー５４における第２のカム孔５６、５６の後側カム部５６ａ、５６ａの後端部に係合されている。
【００８６】
従って、第１のシャーシユニット６は下方の移動端に保持され、第２のシャーシユニット２６は上方の移動端に保持されている。第１のシャーシユニット６が下方の移動端に保持されると共に第２のシャーシユニット２６が上方の移動端に保持されることにより、第１のベースシャーシ７の第１の整流板部１８と第２のベースシャーシ２７の第２の整流板部３３とが上下方向において最も離隔して位置されている（図１２及び図１３参照）。また、ディスクテーブル２２とチャッキングプーリー３９も上下方向において最も離隔して位置されている。
【００８７】
＜チャッキング動作＞
ディスク状記録媒体１００はディスクカートリッジから取り出されて搬送装置によるローディング動作により引込方向（後方）へ搬送される（図１４参照）。ディスク状記録媒体１００は中心孔１００ａの中心がディスクテーブル２２の中心軸とチャッキングプーリー３９の中心軸とに一致されるチャッキング位置まで搬送される（図１５参照）。
【００８８】
ディスク状記録媒体１００がチャッキング位置まで搬送された状態においては、ディスク状記録媒体１００が第１のシャーシユニット６の第１の整流板部１８の真上に位置されると共に第２のシャーシユニット２６の第２の整流板部３３の真下に位置される。このときディスク状記録媒体１００は搬送装置のディスク保持部に保持されている。
【００８９】
ディスク状記録媒体１００がチャッキング位置まで搬送されると、駆動機構によってカムスライダー５４、５４が同期して後方へ向けて移動される。カムスライダー５４は被ガイド孔５７、５７にそれぞれベースフレーム２の案内規制ピン５、５が係合されているため、案内規制ピン５、５によって案内されて後方へ移動される。
【００９０】
カムスライダー５４が後方へ移動されていくと、第１のシャーシユニット６の被ガイドピン１３ａ、１３ａがそれぞれ第１のカム孔５５、５５の後側カム部５５ａ、５５ａから傾斜カム部５５ｂ、５５ｂへ向けて摺動されると共に第２のシャーシユニット２６の被ガイドピン３１ａ、３１ａがそれぞれ第２のカム孔５６、５６の後側カム部５６ａ、５６ａから傾斜カム部５６ｂ、５６ｂへ向けて摺動される（図１６参照）。従って、第１のシャーシユニット６が上方へ移動されていくと共に第２のシャーシユニット２６が下方へ移動されていき、第１のシャーシユニット６の第１の整流板部１８と第２のシャーシユニット２６の第２の整流板部３３とが互いに近付いていくと共にディスクテーブル２２とチャッキングプーリー３９が互いに近付いていく（図１７参照）。
【００９１】
ディスクテーブル２２とチャッキングプーリー３９が互いに近付いていくことにより、ディスクテーブル２２のセンターリング突部２２ｂがディスク状記録媒体１００の中心孔１００ａに下方から挿入される。ディスクテーブル２２のセンターリング突部２２ｂがディスク状記録媒体１００の中心孔１００ａに挿入されると、ディスク状記録媒体１００に対するディスク保持部による保持が解除され、ディスク保持部は、例えば、第１の整流板部１８と第２の整流板部３３の外周より外側に退避される。
【００９２】
カムスライダー５４、５４は引き続き後方へ移動され、第１のシャーシユニット６の被ガイドピン１３ａ、１３ａがそれぞれ第１のカム孔５５、５５の傾斜カム部５５ｂ、５５ｂから前側カム部５５ｃ、５５ｃの前端部まで摺動されると共に第２のシャーシユニット２６の被ガイドピン３１ａ、３１ａがそれぞれ第２のカム孔５６、５６の傾斜カム部５６ｂ、５６ｂから前側カム部５６ｃ、５６ｃの前端部まで摺動される（図１８及び図１９参照）。従って、第１のシャーシユニット６がさらに上方へ移動されていくと共に第２のシャーシユニット２６がさらに下方へ移動されていき、第１のシャーシユニット６の第１の整流板部１８と第２のシャーシユニット２６の第２の整流板部３３とがさらに互いに近付いていくと共にディスクテーブル２２とチャッキングプーリー３９がさらに互いに近付いていく（図２０及び図２１参照）。
【００９３】
ディスクテーブル２２とチャッキングプーリー３９が互いに近付いていくと、チャッキングプーリー３９のクランパー４１に設けられた位置決め突部５０がディスクテーブル２２のセンターリング突部２２ｂに形成された位置決め凹部２２ｃに挿入され、チャッキングプーリー３９とディスクテーブル２２の位置決めが行われる。ディスク状記録媒体１００は、チャッキングプーリー３９に設けられたマグネット４２によってディスクテーブル２２の金属板２２ｄがディスク状記録媒体１００の内周部を介して吸着されることにより、内周部がディスクテーブル２２のテーブル部２２ａとチャッキングプーリー３９のクランプ部４７とによって挟持されてチャッキングされる。
【００９４】
尚、ディスクドライブ装置１にあっては、ディスクテーブル２２にマグネットが設けられ、チャッキングプーリー３９に金属板が設けられて吸着されチャッキングが行われてもよく、また、ディスクテーブル２２とチャッキングプーリー３９の双方にマグネットが設けられて吸着されチャッキングが行われてもよい。
【００９５】
ディスク状記録媒体１００がチャッキングプーリー３９とディスクテーブル２２に挟持されてチャッキングされた状態においては、チャッキングプーリー３９がディスクテーブル２２に押し上げられており、フランジ部４４がプーリー支持部３６に形成された受け凹部３６ａの底面から上方へ離隔して位置されている。従って、フランジ部４４と受け凹部３６ａの底面との間に円環状の空間が生じ、この空間が空気流入空間５８として形成される。また、プーリー支持部３６における支持孔３６ｂの上端部とチャッキングプーリー３９の流入空気制御部４５との間には空気流入空間５８に連通された円環状の空気流動空間５９が形成されている。
【００９６】
ディスク状記録媒体１００がチャッキングされると、カムスライダー５４、５４の後方への移動が停止される。
【００９７】
ディスク状記録媒体１００のチャッキングが行われた状態においては、第１の整流板部１８の第１の折曲部１８ａの上端と第２の整流板部３３の第２の折曲部３３ａの下端とが突き当てられることにより、第１の整流板部１８と第２の整流板部３３によってこれらの内部に収納空間６０が形成され、ディスク状記録媒体１００は収納空間６０に収納される。このときディスク状記録媒体１００には下面に対向して第１の整流板部１８が位置されると共に上面に対向して第２の整流板部３３が位置されており、ディスク状記録媒体１００の下面と第１の整流板部１８の間に一定の隙間が存在すると共にディスク状記録媒体１００の上面と第２の整流板部３３の間に一定の隙間が存在する。これらの隙間は、例えば、何れも２ｍｍ程度にされている。
【００９８】
上記したように、ディスク状記録媒体１００がチャッキングされると、ディスクテーブル２２がスピンドルモーター２１の駆動力によって回転され、ディスクテーブル２２とチャッキングプーリー３９とディスク状記録媒体１００が一体になって回転されると共に第１の光ピックアップ２４と第２の光ピックアップ５２の一方又は双方がディスク状記録媒体１００の半径方向へ移動されてディスク状記録媒体１００に対する情報信号の記録又は再生が行われる。
【００９９】
このとき、上記したように、ディスク状記録媒体１００の下面と第１の整流板部１８の間に一定の隙間が存在すると共にディスク状記録媒体１００の上面と第２の整流板部３３の間に一定の隙間が存在するため、ディスク状記録媒体１００の上下両面側の空気の流れが整流となり、ディスク状記録媒体１００に面ブレが生じ難い。
【０１００】
また、フランジ部４４と受け凹部３６ａの底面との間に形成された空気流入空間５８からチャッキングプーリー３９の外周側に空気が流入されて空気流動空間５９を流動されるが、空気流入空間５８と空気流動空間５９がともに円環状に形成されているため、空気流入空間５８と空気流動空間５９を流動される空気が整流になる。従って、回転されるチャッキングプーリー３９に傾きが生じ難く、チャッキングプーリー３９が円滑に回転され、チャッキングプーリー３９と一体になって回転されるディスク状記録媒体１００の面ブレが一層生じ難い。
【０１０１】
上記したように、ディスク状記録媒体１００に対する情報信号の記録又は再生が行われるときには、第２の光ピックアップ５２がディスク状記録媒体１００の半径方向へ移動される場合があるが、第２の光ピックアップ５２がディスク状記録媒体１００の内周側へ移動されたときに、第２の光ピックアップ５２は突部３７の下側に形成された移動用空間３８から流入空気制御部４５とクランプ部４７の間に挿入され、チャッキングプーリー３９の逃げ部４３の一部が第２の光ピックアップ５２に形成された逃げ凹部５２ａに挿入される（図２２参照）。
【０１０２】
従って、第２の光ピックアップ５２の移動にチャッキングプーリー３９が干渉されず、第２の光ピックアップ５２とチャッキングプーリー３９の接触が回避される。
【０１０３】
ディスク状記録媒体１００の回転が停止されディスク状記録媒体１００に対する情報信号の記録又は再生が終了すると、駆動機構によってカムスライダー５４、５４が前方へ向けて移動されていき、第１のシャーシユニット６の被ガイドピン１３ａ、１３ａがそれぞれ第１のカム孔５５、５５の前側カム部５５ｃ、５５ｃの前端部から後側カム部５５ａ、５５ａの後端部まで摺動されると共に第２のシャーシユニット２６の被ガイドピン３１ａ、３１ａがそれぞれ第２のカム孔５６、５６の前側カム部５６ｃ、５６ｃの前端部から後側カム部５６ａ、５６ａの後端部まで摺動される。従って、第１のシャーシユニット６が下方へ移動されていくと共に第２のシャーシユニット２６が上方へ移動されていき、第１のシャーシユニット６の第１の整流板部１８と第２のシャーシユニット２６の第２の整流板部３３とが離隔される。また、ディスクテーブル２２とチャッキングプーリー３９が互いに離隔されてディスク状記録媒体１００に対するチャッキングが解除される。
【０１０４】
ディスク状記録媒体１００は再び搬送装置のディスク保持部に保持され、搬送装置によって排出方向（前方）へ搬送されてディスクカートリッジに収納される。
【０１０５】
［まとめ］
以上に記載した通り、ディスクドライブ装置１にあっては、プーリー支持部３６に支持されたチャッキングプーリー３９に第２の光ピックアップ５２との干渉を回避する逃げ部４３が設けられている。
【０１０６】
従って、チャッキングプーリー３９と第２の光ピックアップ５２の干渉が回避されると共に第２の光ピックアップ５２の移動スペースが増加され、チャッキングプーリー３９と第２の光ピックアップ５２の干渉を回避して第２の光ピックアップ５２の必要な移動範囲を確保した上で小型化を図ることができると共にチャッキングプーリーの３９の構造の簡素化を図ることができる。
【０１０７】
また、チャッキングプーリー３９に、支持孔３６ｂに流入される空気を制御する円環状の流入空気制御部４５が設けられている。
【０１０８】
従って、空気流入空間５８から周方向において均一な空気が支持孔３６ｂに流入され、チャッキングプーリー３９の周囲の空気の流れが整流になり、チャッキングプーリー３９の安定した回転状態を確保することができる。
【０１０９】
さらに、チャッキングプーリー３９にあっては、逃げ部４３とクランプ部４７が着脱可能とされ、逃げ部４３の径が支持孔３６ｂの径より小さくされ、クランプ部４７の外形が支持孔３６ｂの径より大きくされている。
【０１１０】
従って、逃げ部４３とクランプ部４７が分離された状態で逃げ部４３が支持孔３６ｂに挿入され逃げ部４３にクランプ部４７が結合されることによりチャッキングプーリー３９がプーリー支持部３６に支持され、チャッキングプーリー３９のプーリー支持部３６に対する組付作業における作業性の向上を図ることができる。
【０１１１】
さらにまた、チャッキングプーリー３９の逃げ部４３がディスク状記録媒体１００の厚み方向に延びる円筒状又は円柱状に形成され、第２の光ピックアップ５２に円弧状の逃げ凹部５２ａが形成されている。
【０１１２】
従って、第２の光ピックアップ５２の移動範囲を大きくした上でディスクドライブ装置１の小型化を図ることができる。
【０１１３】
また、チャッキングプーリー３９にあっては、フランジ部４４と流入空気制御部４５が一体に形成されているため、部品点数の削減による製造コストの低減を図ることができる。
【０１１４】
加えて、チャッキングプーリー３９にあっては、流入空気制御部４５と逃げ部４３が一体に形成されているため、一層の部品点数の削減による一層の製造コストの低減を図ることができる。
【０１１５】
［本技術］
本技術は、以下のような構成とすることができる。
【０１１６】
（１）
第１の光ピックアップが配置された第１のピックアップベースを有する第１のシャーシユニットと、
プーリー支持部が設けられ第２の光ピックアップが配置された第２のピックアップベースを有する第２のシャーシユニットとを備え、
前記第１のピックアップベースにディスク状記録媒体が装着されるディスクテーブルが配置され、
前記プーリー支持部に支持孔が形成され、
前記プーリー支持部に前記ディスクテーブルとともに前記ディスク状記録媒体を挟持して保持するチャッキングプーリーが前記支持孔に挿入された状態で支持され、
前記チャッキングプーリーに、前記第２の光ピックアップとの干渉を回避する逃げ部と、軸方向における一端部から外方へ張り出され前記支持孔からの脱落を規制するフランジ部と、軸方向における他端部から外方へ張り出され前記ディスク状記録媒体の内周部に押し付けられるクランプ部とが設けられた
ディスクドライブ装置。
【０１１７】
（２）
前記チャッキングプーリーに、前記ディスクテーブルと前記チャッキングプーリーによって前記ディスク状記録媒体が挟持された状態において前記支持孔に位置され前記支持孔に流入される空気を制御する円環状の流入空気制御部が設けられた
前記（１）に記載のディスクドライブ装置。
【０１１８】
（３）
前記逃げ部と前記クランプ部が着脱可能とされ、
前記逃げ部の径が前記支持孔の径より小さくされ、
前記クランプ部の外形が前記支持孔の径より大きくされた
前記（１）又は前記（２）に記載のディスクドライブ装置。
【０１１９】
（４）
前記逃げ部が前記ディスク状記録媒体の厚み方向に延びる円筒状又は円柱状に形成され、
前記第２の光ピックアップに、前記逃げ部に対向する円弧状の逃げ凹部が形成された
前記（１）から前記（３）の何れかに記載のディスクドライブ装置。
【０１２０】
（５）
前記フランジ部と前記流入空気制御部が一体に形成された
前記（２）から前記（４）の何れかに記載のディスクドライブ装置。
【０１２１】
（６）
前記流入空気制御部と前記逃げ部が一体に形成された
前記（５）に記載のディスクドライブ装置。
【符号の説明】
【０１２２】
１…ディスクドライブ装置、６…第１のシャーシユニット、８…第１のピックアップベース、２２…ディスクテーブル、２４…第１の光ピックアップ、２６…第２のシャーシユニット、２８…第２のピックアップベース、３６…プーリー支持部、３６ｂ…支持孔、３９…チャッキングプーリー、４３…逃げ部、４４…フランジ部、４５…流入空気制御部、４７…クランプ部、５２…第２の光ピックアップ、５２ａ…逃げ凹部、１００…ディスク状記録媒体
【図１】
2014207035.tif 000003
【図２】
2014207035.tif 000004
【図３】
2014207035.tif 000005
【図４】
2014207035.tif 000006
【図５】
2014207035.tif 000007
【図６】
2014207035.tif 000008
【図７】
2014207035.tif 000009
【図８】
2014207035.tif 000010
【図９】
2014207035.tif 000011
【図１０】
2014207035.tif 000012
【図１１】
2014207035.tif 000013
【図１２】
2014207035.tif 000014
【図１３】
2014207035.tif 000015
【図１４】
2014207035.tif 000016
【図１５】
2014207035.tif 000017
【図１６】
2014207035.tif 000018
【図１７】
2014207035.tif 000019
【図１８】
2014207035.tif 000020
【図１９】
2014207035.tif 000021
【図２０】
2014207035.tif 000022
【図２１】
2014207035.tif 000023
【図２２】
2014207035.tif 000024